(57)【要約】【課題】支持体に開設されている貫通孔に捩込まれる雄螺子の先端部が、支持体に装着されている部品と干渉したり、光源が発光した光の反射に悪影響を与えたりするのをなくすることができるシート受具、筐体構造、光源装置及び表示装置を提供する。【解決手段】光学シートのシート面に先端が接触して該光学シートの撓みを制限する柱形部４１及び該柱形部４１を支持体（筐体）１に取付ける取付部４２を有し、該取付部４２の支持体１と向き合うべき面に有底の穴４３を設け、支持体１に開設されている貫通孔１４に捩込まれる雄螺子６の先端部を穴４３に収容するようにした。【選択図】図３
2010278000.tif 000002
【特許請求の範囲】
【請求項１】
光学シートのシート面に先端が接触して該光学シートの撓みを制限する柱形部及び該柱形部を支持体に取付けるための取付部を有するシート受具において、前記取付部の前記支持体と向き合うべき面に有底の穴を有することを特徴とするシート受具。
【請求項２】
光学シートのシート面に先端が接触して該光学シートの撓みを制限する柱形部及び該柱形部を支持体に取付けるための取付部を備えたシート受具において、前記取付部の前記支持体と向き合うべき面に、前記支持体に取付けられるべき被取付物を前記支持体に締結する締結具の先端部を収容する有底の穴を有することを特徴とするシート受具。
【請求項３】
前記穴は前記柱形部の基端と対応する位置に配してある請求項１又は２記載のシート受具。
【請求項４】
前記取付部は前記柱形部の基端から該柱形部の長さ方向と交差する方向へ突出する突出部を有し、該突出部に、被挾持物を挾持するための挾持片を有する請求項１から３のいずれか一つに記載のシート受具。
【請求項５】
前記取付部は前記柱形部の基端から該柱形部の長さ方向と交差する方向へ突出する突出部を有し、該突出部に、第２の被取付物を前記支持体に取付けるための凸部を有する請求項１から３のいずれか一つに記載のシート受具。
【請求項６】
並置される複数の光源と、支持体に取付けられる請求項１から５のいずれか一つに記載のシート受具とを備え、該シート受具の前記穴に対応する貫通孔を前記支持体に開設してあることを特徴とする光源装置。
【請求項７】
前記光源が実装され、前記支持体に並置される複数の光源基板を備え、該光源基板及び前記支持体は前記凸部が嵌入される孔を開設してある請求項６記載の光源装置。
【請求項８】
前記凸部が挿通される挿通孔を有し、前記光源基板に対向して前記光源が発光した光を反射させる反射シートを備える請求項７記載の光源装置。
【請求項９】
一側に表示面を有する表示部と、該表示部の他側に配されている請求項６から８のいずれか一つに記載の光源装置と、前記光源が発光した光を前記表示部へ入射する光学シートとを備えることを特徴とする表示装置。
【請求項１０】
前記支持体に、前記貫通孔に嵌入された締結具にて被取付物が取付けられている請求項９記載の表示装置。
【請求項１１】
前記支持体に、前記貫通孔に捩込まれた雄螺子にて被取付物が螺子止めされている請求項９記載の表示装置。
【請求項１２】
内側に内部部品が装着される筐体の外側に、該筐体に開設されている貫通孔に嵌入される締結具にて被取付物が取付けられている筐体構造において、前記内部部品は、前記締結具の先端部を収容するための有底の穴を有することを特徴とする筐体構造。
【発明の詳細な説明】
【技術分野】
【０００１】
本発明は表示装置が備える光学シートの撓みを制限するシート受具、筐体の内側にシート受具等の内部部品が装着されている筐体構造、表示装置の光源として使用される光源装置及び表示装置に関する。
【背景技術】
【０００２】
液晶テレビジョン等の薄型の表示装置は、画像を表示する表示面を前側に有する表示部の後側に光源装置が配されており、該光源装置と表示部との間に、光源装置の光源が発光した光を前記表示部へ入射する光学シートが配されている。
【０００３】
光源装置は略直方体をなし、光学シートの周縁部を前側開放端に支持する筺体と、該筺体内に上下に離隔して並置される複数の光源と、該光源が照射した光を前記光学シート方向へ反射させる反射シートと、前記筺体内に取付けられ、前記光学シートのシート面に先端が接触して該光学シートの撓みを制限するシート受具と、前記筺体の後面に開設された孔に雄螺子により取付けられる電源基板等の螺子止部品とを備える（例えば、特許文献１参照）。
【０００４】
また、略直方体をなし、光学シートの周縁部を前側開放端に支持する筺体と、該筺体内に上下及び横方向に離隔して碁盤目状に並置される複数の発光ダイオードと、前記筺体内に取付けられ、前記光学シートのシート面に先端が接触して該光学シートの撓みを制限するシート受具とを備える光源装置も知られている（例えば、特許文献２参照）。
【０００５】
光源装置の筺体は比較的薄厚の金属板を成形してなるため、該筺体に開設された孔に雄螺子が直接螺着されると、該雄螺子が筺体を突抜け、雄螺子の先端部が筺体内に突出し、筺体内に装着されている反射シート等の部品を押して歪め、光学特性が劣化したりすることになるため、特許文献１では次のような対策が講じられている。
【０００６】
図１３は特許文献１の図２に記載された部分図である。特許文献１では、外側にインバータ装置１００が装着される筺体１０１に嵌合孔が開設され、該嵌合孔に、インバータ装置１００を受止める柱形間座１０２の一端部を嵌入固定し、柱形間座１０２の他端部に雄螺子を捩込むことにより、該雄螺子の先端部が筺体１０１内に突出しないようにしている。図１３において、１０３は光源、１０４は光源１０３を筺体１０１に取付けるクリップ、１０５は筺体１０１の内側に配された反射シートである。
【０００７】
図１４は筺体の一部に一体成形された台座に被取付物が取付けられている光源装置の部分図である。従来において、特許文献１のような柱形間座１０２を設ける代わりに、光源装置の筺体１０１の一部が後方へ膨出する円錐台形の台座１０６を一体成形し、該台座１０６に開設されている貫通孔に、回路基板１０７が装着されている被取付物１０８を取付けるための雄螺子１０９を捩込むことにより、雄螺子１０９の先端部が台座１０６内に収容され、雄螺子１０９の先端部が筺体１０１内に突出しないようにすることも知られている。図１４において、１１０は筺体１０１の内側に装着されているシート受具、１１１は筺体１０１の内側に配された反射シートである。
【０００８】
図１５は特許文献２の図２に記載された部分図である。特許文献２では、内側へ窪む凹部１１２が筺体１０１に設けられ、該凹部１１２に開設されている貫通孔に挿入される軸部１１３、該軸部１１３の一端に連なる柱形部１１４及び他端に連なる基底部１１５を有するシート受具１１６が、雄螺子を用いることなく前記軸部１１３及び基底部１１５にて筺体１０１に取付けられている。図１５において、１１７は発光ダイオード１１８が実装され筺体１０１内に装着されている発光ダイオード基板、１１９は筺体１０１内に配されている反射シートである。
【先行技術文献】
【特許文献】
【０００９】
【特許文献１】特開２００６−２８６３４１号公報
【特許文献２】特開２００８−１４５６５５号公報
【発明の概要】
【発明が解決しようとする課題】
【００１０】
液晶テレビジョン等の薄型の表示装置は低価格化及び薄型化の一途をたどっているため、特許文献１のように光源装置の筺体に柱形間座を固定し、該柱形間座に電源基板等の螺子止部品を螺子止めする構成、及び筺体の一部に台座を一体成形し、該台座に螺子止部品を螺子止めする構成にあっては、柱形間座及び台座が筺体の後面から後方へ突出するため、表示装置の薄型化に支障を来し、改善策が要望されていた。また、柱形間座を備える構成にあっては、部品点数が増加するとともに、加工工数及び組込工数が増加し、コスト高となる問題もあり、また、筺体の一部に複数の台座又は台座状の凹部が一体成形された構成にあっては、筺体に捩じれ等の変形が生じ易いという問題があった。
【００１１】
本発明は斯かる事情に鑑みてなされたものであり、主たる目的は、光学シートの撓みを制限するシート受具の支持体と向き合うべき面に有底の穴を設けることにより、支持体に開設されている貫通孔に嵌入される締結具の先端部、又は貫通孔に捩込まれる雄螺子の先端部が、支持体に装着されている部品を押して歪めたりするのをなくすることができるシート受具、シート受具等の内部部品を備える筐体構造、シート受具を備える光源装置、及び該光源装置を備える表示装置を提供することにある。
【課題を解決するための手段】
【００１２】
本発明に係るシート受具は、光学シートのシート面に先端が接触して該光学シートの撓みを制限する柱形部及び該柱形部を支持体に取付けるための取付部を有するシート受具において、前記取付部の前記支持体と向き合うべき面に有底の穴を有することを特徴とする。
【００１３】
この発明にあっては、支持体に開設されている貫通孔と有底の穴とが対応するようにシート受具の取付箇所が設定されることにより、前記貫通孔に嵌入される締結具の先端部、又は貫通孔に捩込まれる雄螺子の先端部を有底の穴に収容することができ、締結具の先端部又は雄螺子の先端部が、支持体に装着される反射シート、発光ダイオード基板、該発光ダイオード基板等を固定する固定具等の部品を押して歪めたりするのをなくすることができ、光学特性の劣化をなくし得る。しかも、支持体に取付けられる既存のシート受具が締結具の先端部又は雄螺子の先端部を収容するため、光源装置及び表示装置を薄型化することができる。
【００１４】
また、本発明に係るシート受具は、光学シートのシート面に先端が接触して該光学シートの撓みを制限する柱形部及び該柱形部を支持体に取付けるための取付部を備えたシート受具において、前記取付部の前記支持体と向き合うべき面に、前記支持体に取付けられるべき被取付物を前記支持体に締結する締結具の先端部を収容する有底の穴を有することを特徴とする。
【００１５】
この発明にあっては、支持体に開設されている貫通孔と有底の穴とが対応するようにシート受具の取付箇所が設定されることにより、前記貫通孔に嵌入される締結具の先端部を有底の穴に収容することができ、締結具の先端部が、支持体に装着される反射シート、発光ダイオード基板、該発光ダイオード基板等を固定する固定具等の部品を押して歪めたりするのをなくすることができ、光学特性の劣化をなくし得る。しかも、支持体に取付けられる既存のシート受具が締結具の先端部を収容するため、光源装置及び表示装置を薄型化することができる。
【００１６】
また、本発明に係るシート受具は、前記穴は前記柱形部の基端と対応する位置に配してある構成とするのが好ましい。
この発明にあっては、取付部を大形に形成したり、取付部の厚さを厚くしたりすることなく既存のシート受具に比較的窪み量の多い有底の穴を得ることができ、穴を有するシート受具のコストを低減できる。
【００１７】
また、本発明に係るシート受具は、前記取付部は前記柱形部の基端から該柱形部の長さ方向と交差する方向へ突出する突出部を有し、該突出部に、被挾持物を挾持するための挾持片を有する構成とするのが好ましい。
この発明にあっては、挾持片に挾持される光源等の被挾持物の近傍にシート受具を取付けることができるため、シート受具の取付箇所の自由度を高めることができる。
【００１８】
また、本発明に係るシート受具は、前記取付部は前記柱形部の基端から該柱形部の長さ方向と交差する方向へ突出する突出部を有し、該突出部に、第２の被取付物を前記支持体に取付けるための凸部を有する構成とするのが好ましい。
この発明にあっては、シート受具の凸部が嵌入される孔が第２の被取付物及び支持体に開設されることにより、シート受具の凸部を、第２の被取付物及び支持体の孔に嵌入することにより、第２の被取付物を支持体に取付けることができるため、第２の被取付物を取付けるための取付具を殊更設けることなく、第２の被取付物を取付けることができ、部品点数を削減できるとともに、第２の被取付物の取付け作業性を高めることができる。
【００１９】
また、本発明に係る光源装置は、並置される複数の光源と、支持体に取付けられる上述の発明のシート受具とを備え、該シート受具の前記穴に対応する貫通孔を前記支持体に開設してあることを特徴とする。
この発明にあっては、支持体の外面に締結具又は雄螺子にて取付けられる被取付物の取付部と支持体の内側で対応する箇所にシート受具が取付けられることにより、前記締結具の先端部又は雄螺子の先端部をシート受具の有底の穴に収容することができるため、締結具の先端部又は雄螺子の先端部が、支持体の内側に装着されている反射シート等の部品を押して歪めたりするのをなくすることができ、光学特性の劣化をなくし得る。しかも、支持体の内側に取付けられる既存のシート受具が締結具の先端部又は雄螺子の先端部を収容するため、光源装置を薄型化することができる。
【００２０】
また、本発明に係る光源装置は、前記光源が実装され、前記支持体に並置される複数の光源基板を備え、該光源基板及び前記支持体は前記凸部が嵌入される孔を開設してある構成とするのが好ましい。
この発明にあっては、孔が開設されている複数の光源基板が並置されている状態で、シート受具の凸部を光源基板の孔及び支持体の孔に嵌入することにより、光源基板を支持体に取付けることができるため、並置される光源基板の取付け作業性を高めることができる。
【００２１】
また、本発明に係る光源装置は、前記凸部が挿通される挿通孔を有し、前記光源基板に対向して前記光源が発光した光を反射させる反射シートを備える構成とするのが好ましい。
この発明にあっては、支持体に並置されている複数の光源基板に対向して反射シートが配されている状態で、シート受具の凸部を、反射シートの挿通孔に挿通し、光源基板の孔及び支持体の孔に嵌入することにより、反射シート及び光源基板を支持体に取付けることができるため、反射シート及び並置される光源基板の取付け作業性を高めることができる。
【００２２】
また、本発明に係る表示装置は、一側に表示面を有する表示部と、該表示部の他側に配されている上述の発明の光源装置と、前記光源が発光した光を前記表示部へ入射する光学シートとを備えることを特徴とする。
この発明にあっては、支持体の内側に取付けられる既存のシート受具が有底の穴を有するため、表示装置の薄型化に支障を来すことなく、支持体の外面に被取付物を取付ける締結具の先端部又は雄螺子の先端部が反射シート等の部品を押して歪めたりするのをなくすることができ、光学特性の劣化をなくし得る。
【００２３】
また、本発明に係る表示装置は、前記支持体に、前記貫通孔に嵌入された締結具にて被取付物が取付けられている構成とするのが好ましい。
この発明にあっては、支持体に装着される部品を押して歪めたりすることなく支持体の貫通孔に締結具を嵌入することができるため、締結具による被取付物の取付作業性を高めることができる。
【００２４】
また、本発明に係る表示装置は、前記支持体に、前記貫通孔に捩込まれた雄螺子にて被取付物が螺子止めされている構成とするのが好ましい。
この発明にあっては、支持体の内側に装着されている部品を押して歪めたりすることなく支持体の貫通孔に雄螺子を捩込むことができるため、雄螺子による被取付物の螺子止作業性を高めることができる。
【００２５】
また、本発明に係る筐体構造は、内側に内部部品が装着される筐体の外側に、該筐体に開設されている貫通孔に嵌入される締結具にて被取付物が取付けられている筐体構造において、前記内部部品は、前記締結具の先端部を収容するための有底の穴を有することを特徴とする。
この発明にあっては、筐体の内側に装着される部品を押して歪めたりすることなく、筐体の外側から該筐体の貫通孔に締結具を嵌入することができるため、締結具による被取付物の筐体外側への取付作業性を高めることができる。しかも、筐体の内側に装着される既存の内部部品が締結具の先端部を収容するため、筐体構造を備える光源装置、表示装置を薄型化することができる。
【発明の効果】
【００２６】
本発明によれば、光学シートの撓みを制限するシート受具が、取付部の支持体と向き合うべき面に有底の穴を有するため、シート受具が支持体に取付けられることにより、支持体に開設されている貫通孔に嵌入される締結具の先端部又は貫通孔に螺着される雄螺子の先端部を有底の穴に収容することができ、締結具の先端部又は雄螺子の先端部が、支持体に装着されている反射シート等の部品を押して歪めたりするのをなくすることができ、光学特性の劣化をなくし得る。しかも、支持体に取付けられる既存のシート受具が締結具の先端部又は雄螺子の先端部を収容するため、光源装置及び表示装置を薄型化することができる。
また、筐体の内側に装着される内部部品を押して歪めたりすることなく、筐体の外側から該筐体の貫通孔に締結具を嵌入することができるため、締結具による被取付物の筐体外側への取付作業性を高めることができ、また、筐体構造を備える光源装置、表示装置を薄型化することができる。
【図面の簡単な説明】
【００２７】
【図１】本発明に係る光源装置の支持体の構成を示す正面図である。
【図２】本発明に係る光源装置の一部を拡大した正面図である。
【図３】図２のIII −III 線拡大断面図である。
【図４】本発明に係る光源装置のシート受具の構成を示す断面図である。
【図５】本発明に係る光源装置を備える表示装置の構成を示す断面図である。
【図６】本発明に係る光源装置の他の構成を示す一部を拡大した断面図である。
【図７】本発明に係る光源装置の一部を省略した平面図である。
【図８】本発明に係る光源装置の一部を分解した模式的斜視図である。
【図９】本発明に係る光源装置の要部の構成を示す拡大した断面図である。
【図１０】本発明に係る光源装置におけるシート受具の取付部の構成を示す拡大した断面図である。
【図１１】本発明に係る光源装置の反射シートをなくした状態を示す平面図である。
【図１２】本発明に係る光源装置の反射シートがなく、シート受具が装着されている状態を示す平面図である。
【図１３】特許文献１の図２に記載された部分図である。
【図１４】筺体の一部に一体成形された台座に被取付物が取付けられている光源装置の部分図である。
【図１５】特許文献２の図２に記載された部分図である。
【発明を実施するための形態】
【００２８】
以下本発明をその実施の形態を示す図面に基づいて詳述する。
実施の形態１
図１は本発明に係る光源装置の支持体の構成を示す正面図、図２は光源装置の一部を拡大した正面図、図３は図２のIII −III 線拡大断面図、図４はシート受具の構成を示す断面図である。
【００２９】
図に示した光源装置は、箱形の直方体をなし、開放側の端部に光学シートの周縁部を支持する筐体としての支持体１と、円柱形をなし、支持体１内に上下にほぼ等間隔で並置される複数の光源２と、該光源２の両端部を支持体１の内側に保持するホルダ３，３と、支持体１内に取付けられ、光学シートの撓みを制限する合成樹脂製のシート受具４とを備える。
【００３０】
支持体１は金属板を成形してなり、長方形をなす板部１１と、該板部１１の周縁に連なる枠部１２とを有する筐体であり、板部１１には、支持体１の内側のシート受具４を取付けるための複数の取付孔１３と、支持体１の外側に電源回路基板等の複数の被取付物５を雄螺子６にて取付けるための貫通孔１４とが開設されている。支持体１の内面部は、光源２が発光した光を支持体１の開放側へ反射させるべき光反射面になっている。光反射面は支持体１自体が反射する面である他、支持体１と別個に積層された光反射層、反射シートであってもよい。
【００３１】
取付孔１３は丸形をなし、図１に示すように各光源２の長さ方向中央部分と対向する位置に開設されている。また、貫通孔１４は雄螺子６に対応する比較的小径の丸形をなし、隣合う二つの取付孔１３，１３間の中央部に開設されている。
【００３２】
光源２は、円柱形をなし両端部に電極を有する冷陰極管であり、夫々の光源２の電極にインバータ回路基板が接続され、パルス幅変調信号により明るさが制御されるように構成されている。
【００３３】
シート受具４は、光学シートのシート面に先端が接触して該光学シートの撓みを制限する柱形部４１と、該柱形部４１の基端に連なり、取付孔１３に挿嵌係止される取付部４２とを有し、該取付部４２の支持体１側の面で、柱形部４１の基端と対応する位置に有底の穴４３を設けてある。シート受具４は光反射性に優れているポリカーボネートにより一体成形されている。
【００３４】
柱形部４１は、取付部４２に連なる基端から先端へ容積が漸次減少する略円錐形をなしている。
【００３５】
取付部４２は、柱形部４１の基端から該柱形部４１の長さ方向と直交する一方向及び他方向へ突出し、支持体１の反射面に対向する板状の突出部４２ａ，４２ａと、該突出部４２ａ，４２ａの支持体１側の面に突設されている板状突片４２ｂ，４２ｂと、該板状突片４２ｂ，４２ｂの先端に連なり、隣合う二つの取付孔１３，１３の孔縁部に係止される二つの爪部４２ｃ，４２ｃとを有し、爪部４２ｃ，４２ｃ間の中央部に有底の穴４３が設けられている。突出部４２ａ，４２ａの柱形部４１側の面には、光源２の長さ方向中間部が嵌合挾持される挾持片４４，４４が一体成形されている。挾持片４４，４４の夫々は、光源２の並置方向へ離隔して対向し、光源２を挾持するように構成されている。
【００３６】
穴４３は、貫通孔１４及び該貫通孔１４に捩込まれる雄螺子６の螺子部直径より大径の丸孔からなり、取付部４２の支持体１側の面から柱形部４１の長さ方向中間に亘って窪んでおり、貫通孔１４に捩込まれる雄螺子６の先端部を、非捩込みの状態で収容することができるように構成されている。
【００３７】
以上のように構成された光源装置Ａは、支持体１における隣合う二つの取付孔１３，１３にシート受具４の取付部４２が支持体１の内側から挿嵌係止され、また、支持体１内に複数の光源２が並置され、該光源２の両端部がホルダ３，３にて支持体１内に保持される。
【００３８】
シート受具４の爪部４２ｃ，４２ｃ及び挾持片４４，４４は隣合う二つの光源２，２と対向する箇所に配され、柱形部４１は隣合う二つの光源２，２間の中央部に配され、穴４３は支持体１の貫通孔１４と対向する箇所に配される。また、シート受具４は、図１に示すように光源２の長さ方向へ交互に偏倚して配される。
【００３９】
支持体１の外側には、光源２の電極に接続されるインバータ回路基板及び該インバータ回路基板に電源を供給する電源回路基板等の複数の回路基板７が装着されている被取付物５としての基板支持部材が雄螺子６にて取付けられる。
【００４０】
被取付物５は、回路基板７を支持する板部５１と、該板部５１の一縁に連なる取付片５２とを有し、該取付片５２に複数の挿通孔５３が離隔して開設されている。
【００４１】
被取付物５を取付けるとき、雄螺子６が挿通孔５３へ挿通され、支持体１の貫通孔１４に捩込まれる。支持体１内側の貫通孔１４と向き合う箇所にはシート受具４の有底の穴４３が配されているため、貫通孔１４に捩込まれた雄螺子６の先端部を非捩込み状態で穴４３に収容することができ、雄螺子６の先端部が支持体１内に露出するのを防ぐことができる。因って、雄螺子６の先端部が、支持体１の内側に装着されているシート受具４、反射シート等の部品を押したりするのをなくすることができる。また、穴４３を有するシート受具４は、支持体１内に装着される既存の部品であるため、部品点数の増加がなく、また、回路基板７の支持体１に対する離隔距離を短縮することができる。
【００４２】
また、シート受具４等の内部部品の支持体１への取付け作業工程と、被取付物５の支持体１への取付け作業工程とは作業工程の手順が異なり、また、支持体１の内側に配されている内部部品の補修作業と、支持体１の外側に配されている被取付物５等の外部部品の補修作業とも作業工程の手順が異なるため、例えば、支持体１に内部部品及び外部部品を取付けるには、まず支持体１の内側から内部部品を取付けた後、支持体１の外側から外部部品を取付ける必要がある。そのため、外部部品を取付ける際には、被取付物５の挿通孔５３と支持体１の貫通孔１４との位置合わせを行った後、有底の穴４３に合わせて雄螺子６の先端部を捩じ込む必要があった。そこで、挿通孔５３及び貫通孔１４の径よりも有底の穴４３の径を大きくし、挿通孔５３及び貫通孔１４に雄螺子６の先端を捩じ込む構成とすることにより作業効率が向上する。すなわち、被取付物５を取付ける雄螺子６は内部部品に捩込まれないため、前記取付け及び補修作業性に支障を来すのを防ぐことができる。
【００４３】
図５は光源装置Ａを備える表示装置の構成を示す断面図である。光源装置Ａは例えば液晶テレビジョン等の液晶表示装置に使用される。
【００４４】
液晶表示装置は、図５に示すように前側に表示面を有し略直方体をなす表示部８と、該表示部８の後側に配置された光源装置Ａと、該光源装置Ａ及び表示部８の間に配され、光源２が発光した光を表示部８へ入射する光学シート９と、光源装置Ａにおける支持体１の後面に取付けられている被取付物５及び回路基板７と、表示部８の周縁部及び光源装置Ａの後側を被覆するキャビネット１０とを有する。
【００４５】
表示部８は、前後側に偏光板が貼着されている表示パネル８１と、該表示パネル８１の周縁部を前後で挾持して保持する保持枠体８２を有し、周縁部が支持体１の開放側の端部に支持されている。
【００４６】
光学シート９は、光源２が発光した光を拡散する比較的厚肉で、透光性及び可撓性を有する拡散板と、反射偏光シート、プリズムシート、拡散シート等の比較的薄肉で、透光性及び可撓性を有する合成樹脂シートとが積層された積層体であり、表示部８に対応して略直方形に形成されており、周縁部が支持体１の開放側の端部に支持されている。
【００４７】
光学シート９の周縁部を支持する支持体１の内側に取付けられているシート受具４は、光学シート９の中央側部分と対向する位置で、柱形部４１の先端が光学シート９の一面と接触する程度の僅少距離にて対向し、光学シート９の撓みを制限し、光学シート９と光源２との間の距離を均等に保っている。
【００４８】
被取付物５を支持体１に取付けるための雄螺子６が捩込まれる貫通孔１４は、支持体１の内側に取付けられているシート受具４の穴４３と向き合う箇所に開設されており、貫通孔１４に捩込まれている雄螺子６の先端部は穴４３に収容されている。
【００４９】
光源２が発光した光は光学シート９、シート受具４及び支持体１内の反射面を照射する。
【００５０】
実施の形態２
図６は本発明に係る光源装置の他の構成を示す一部を拡大した断面図、図７は光源装置の一部を省略した平面図、図８は光源装置の一部を分解した模式的斜視図、図９は光源装置の要部の構成を示す拡大した断面図、図１０はシート受具の取付部の構成を示す拡大した断面図、図１１は反射シートをなくした状態を示す平面図、図１２は反射シートがなく、シート受具が装着されている状態を示す平面図である。
【００５１】
図６〜図１２に示した光源装置は、光源２が発光ダイオード２ａであり、一面に発光ダイオード２ａが離隔して並置された複数の発光ダイオード基板２０を板部１１の内側に複数列に並置し、発光ダイオード２ａが発光した光を反射させる反射シート３０を発光ダイオード基板２０の一面に対向して配し、発光ダイオード基板２０及び反射シート３０夫々を板部１１の内面に取付ける凸部４５，４５をシート受具４に設けたものである。尚、発光ダイオード基板２０が光源基板を構成しており、また、発光ダイオード基板２０及び反射シート３０が第２の被取付物を構成している。
【００５２】
光源基板としての発光ダイオード基板２０は一面に回路部を有する短冊状をなし、略長方形をなす板部１１に長手方向及び幅方向に離隔して複数列に並置されている。発光ダイオード基板２０夫々の一面には複数の発光ダイオード２ａを長手方向に離隔して実装してあり、一面の長手方向両端部には接続部２０ａ，２０ｂが設けられており、長手方向一端部の接続部２０ａよりも他端側へ偏倚した位置には厚さ方向へ貫通する嵌入孔２０ｃが設けられている。発光ダイオード基板２０の一面には、発光ダイオード２ａの頂部と対向し、該発光ダイオード２ａが発光した光を発散させる複数のレンズ２１が接着剤にて取付けられている。
【００５３】
長手方向一端が対向するように複数列に並置された発光ダイオード基板２０において、各列の発光ダイオード基板２０は、隣合う二つの接続部２０ａ，２０ａ同士がコネクタ２２にて接続され、一方の発光ダイオード基板２０の接続部２０ｂが後記する電源回路基板に第２コネクタにて接続され、他方の発光ダイオード基板２０の接続部２０ｂが後記する制御回路基板に第３コネクタにて接続されている。
【００５４】
コネクタ２２は、接続部２０ａ，２０ａに接続されたとき、発光ダイオード基板２０の一面に重合する。
【００５５】
シート受具４は、柱形部４１の基端から該柱形部４１の長さ方向と交差する方向へ突出する突出部４２ａが短冊状をなし、柱形部４１の基端と対応する位置には板部１１と対向する取付座４２ｄが設けられ、該取付座４２ｄに有底の孔４３が開設されている。突出部４２ａの柱形部４１の基端と偏倚した複数の位置には、柱形部４１と反対方向へ向き、各列の発光ダイオード基板２０の一端部に開設されている嵌入孔２０ｃに嵌入される凸部４５，４５が並置されており、また、板状突片４２ｂ及び該板状突片４２ｂの先端に連なる爪部４２ｃが一体に設けられている。
【００５６】
突出部４２ａは、複数列の隣合う発光ダイオード基板２０同士を接続する複数のコネクタ２２と対向し、該コネクタ２２夫々を覆い隠すように構成されている。
【００５７】
凸部４５，４５は、発光ダイオード基板２０の長手方向へ離隔して周面が対向する二つを、発光ダイオード基板２０の列方向の離隔距離に対応して複数並置してある。
【００５８】
発光ダイオード２ａは発光ダイオード基板２０の長手方向に離隔して例えば５個、又は６個実装されており、発光ダイオード２ａ夫々に対応して５個、又は６個のレンズ２１が接着剤にて一面に取付けられている。
【００５９】
反射シート３０は、高反射性を有し、板部１１に対応して略長方形をなす一枚の合成樹脂シートからなり、貫通孔１４に対応する箇所には、取付座４２ｄが挿通される挿通孔３０ａが開設されている。また、発光ダイオード基板２０の嵌入孔２０ｃに対応する箇所に第２の嵌入孔３０ｂが開設され、レンズ２１夫々に対応する箇所に第２の貫通孔３０ｃが開設され、コネクタ２２に対応する箇所に第３の貫通孔３０ｄが開設され、取付孔１３に対応する箇所に第２の挿通孔３０ｅが開設されている。
【００６０】
板部１１の取付孔１３と偏倚した箇所には凸部４５，４５に対応する第３の嵌入孔１５，１５が複数開設されている。板部１１における他面の長手方向一側部には、第２コネクタにて発光ダイオード基板２０のドライバに接続され、該ドライバに電圧を供給する電源回路基板が取付けられており、長手方向他側部には、第３コネクタにて発光ダイオード基板２０のドライバに接続され、該ドライバを制御する制御回路基板が取付けられている。また、板部１１における他面の長手方向中央部には前記表示部８に電圧を供給する電源回路基板、前記表示部８の表示面に表示される画像を処理する端子回路基板、前記表示部８を制御する制御回路基板等の複数の回路基板７が被取付物５にて取付けられている。
【００６１】
以上のように構成された光源装置Ａは、開放側が上向となるように支持体１が作業台に載置され、該支持体１における板部１１の一面に、列方向に隣合う複数の発光ダイオード基板２０が複数列に並置され、各列の発光ダイオード基板２０の隣合う一端部に設けられている接続部２０ａ，２０ａにコネクタ２２が接続され、各列の発光ダイオード基板２０の一面に反射シート３０が対向載置される。
【００６２】
この際、レンズ２１が反射シート３０の各第２の貫通孔３０ｃに嵌まり、また、コネクタ２２が各第３の貫通孔３０ｄに嵌まる。
【００６３】
反射シート３０が組込まれた後、シート受具４の凸部４５，４５が反射シート３０の第２の嵌入孔３０ｂより発光ダイオード基板２０の嵌入孔２０ｃに嵌入され、さらに、凸部４５，４５が支持体１の第３の嵌入孔１５に夫々嵌入され、複数の発光ダイオード基板２０を取付けることができるとともに、反射シート３０を発光ダイオード基板２０の一面に押付けることができ、突出部４２ａにてコネクタ２２を覆い隠すことができる。また、シート受具４の爪部４２ｃが第２の挿通孔３０ｅより板部１１の取付孔１３に嵌入係止され、シート受具４にて発光ダイオード基板２０及び反射シート３０を支持体１に固定することができ、反射シート３０の発光ダイオード基板２０に対する浮き上がりを防ぐことができる。また、シート受具４の取付座４２ｄが挿通孔３０ａに挿通され、板部１１の貫通孔１４周りに当接し、有底の孔４３に貫通孔１４が臨む。
【００６４】
被取付物５を取付けるとき、雄螺子６が被取付物５の挿通孔５３へ挿通され、板部１１の貫通孔１４に捩込まれる。支持体１内側の貫通孔１４と向き合う箇所にはシート受具４の有底の穴４３が配されているため、貫通孔１４に捩込まれた雄螺子６の先端部を穴４３に収容することができ、雄螺子６が反射シート３０から露出するのを防ぐことができる。因って、雄螺子６の先端部が、支持体１の板部１１に並置されている発光ダイオード基板２０等の部品と干渉したり、発光ダイオード２ａが発光した光の反射に悪影響を与えたりするのをなくすることができる。また、穴４３を有するシート受具４は、支持体１内に装着される既存の部品であるため、部品点数の増加がなく、また、回路基板７の支持体１に対する離隔距離を短縮することができる。
【００６５】
尚、以上説明した実施の形態では、光源２の長さ方向中間部を挾持する挾持片４４をシート受具４が有する構成としたが、その他、シート受具４は挾持片４４がなく、柱形部４１を有する構成であってもよい。この場合、シート受具４は例えば隣合う光源２，２間に取付けられる。
【００６６】
また、以上説明した実施の形態では、シート受具４の柱形部４１の基端と対応する位置に穴４３を設けたが、その他、穴４３は突出部４２ａに配する構成としてもよい。また、穴４３は丸孔である他、角孔であってもよく、穴４３の形状は特に制限されない。
【００６７】
また、本発明に係る光源装置Ａ及び表示装置において、被取付物５の取付箇所の総数よりもシート受具４の個数が少ない場合、支持体１における板部１１の光源２と対向する箇所に取付けられ、光源２の長さ方向中間部を挾持する挾持具と併用し、該挾持具が穴４３を有する構成としてもよいし、また、前記柱形部４１の長さが比較的短く、シート受具４と相似形をなす補助部品と併用し、該補助部品が穴４３を有する構成としてもよい。
【００６８】
また、以上説明した実施の形態では、シート受具４の取付部４２が板状の突出部４２ａを有する構成としたが、その他、取付部４２は、板状の突出部４２ａがなく、柱形部４１の基端に爪部４２ｃを有し、該爪部４２ｃの中央部に穴４３を配する構成としてもよいし、また、板状の突出部４２ａ及び爪部４２ｃがなく、柱形部４１の基端が接着層等の取付部である構成とし、該基端の中央部に穴４３を設けてある構成としてもよい。
【００６９】
また、以上説明した実施の形態では、回路基板７を支持する基板支持部材を被取付物５としたが、その他被取付物５は、基板支持部材がない構成においては回路基板７が被取付物５であり、また、回路基板の導線接続部に接続される導線の中間を係止する導線係止具を備える構成においては、導線係止具も被取付物５となる。
【００７０】
また、以上説明した実施の形態では、板部１１の貫通孔１４に捩込まれる雄螺子６にて被取付物５を取付ける構成としたが、その他、貫通孔１４に嵌入されるリベット等の締結具にて被取付物５を板部１１の外面に取付ける構成としてもよい。締結具がリベットである場合、リベットは基端に鍔部を有し、板部１１の外側から貫通孔１４に嵌入され、先端部がシート受具４の穴４３に収容される。
【００７１】
また、以上説明した実施の形態では、円柱形をなす光源２を備える構成としたが、その他、光源２は、発光ダイオード、有機ＥＬ、レーザー、プラズマであってもよく、光源２の構成は特に制限されない。
【符号の説明】
【００７２】
１    支持体（筐体）
１４  貫通孔
２    光源
２ａ  発光ダイオード（光源）
２０  発光ダイオード基板
３０  反射シート
４    シート受具
４１  柱形部
４２  取付部
４２ａ  突出部
４３  穴
４４  挾持片
４５  凸部
５    被取付物
６    雄螺子（締結具）
８    表示部
９    光学シート
Ａ    光源装置 
【図１】
2010278000.tif 000003
【図２】
2010278000.tif 000004
【図３】
2010278000.tif 000005
【図４】
2010278000.tif 000006
【図５】
2010278000.tif 000007
【図６】
2010278000.tif 000008
【図７】
2010278000.tif 000009
【図８】
2010278000.tif 000010
【図９】
2010278000.tif 000011
【図１０】
2010278000.tif 000012
【図１１】
2010278000.tif 000013
【図１２】
2010278000.tif 000014
【図１３】
2010278000.tif 000015
【図１４】
2010278000.tif 000016
【図１５】
2010278000.tif 000017